(57)【要約】【課題】  認証印刷の安全性を向上させることができる認証印刷システムを提供する。【解決手段】  本発明の認証印刷システムは、携帯端末から画像形成装置に画像形成を行わせるときに、第１の認証処理部は、携帯端末識別子、接続情報及び認証印刷データ識別子を、画像形成装置に送信し、第３の認証処理部は、携帯端末から受信した接続情報に基づき、情報処理装置と接続し、受信した携帯端末識別子及び認証印刷データを、情報処理装置に転送し、第２の認証処理部は、転送された携帯端末識別子及び認証印刷データ識別子が、第２の記憶部に存在する場合には、グループ接続状態に移行し、第３の認証処理部は、グループ接続状態に移行した後、携帯端末及び情報処理装置に対して、音声の確認を促し、音声の確認を受け付けた後、認証印刷データに基づき画像形成を行わせる制御を行うことを特徴とする。【選択図】      図１
2018005486.tif 000002
【特許請求の範囲】
【請求項１】
通信回線を介して接続される情報処理装置および画像形成装置、並びに携帯端末が連携して認証印刷を行う認証印刷システムであって、
前記携帯端末は、
前記画像形成装置と無線通信を行う第１の無線通信部と、
当該携帯端末固有の識別子である携帯端末識別子を管理する管理部と、
前記画像形成装置が前記情報処理装置と通信する際に利用する接続情報と、前記画像形成装置が保持する認証印刷データを識別する認証印刷データ識別子とを関連付けて記憶する第１の記憶部と、
前記情報処理装置と音声通信を行う第１の音声入出力部と、
認証情報の一部である前記携帯端末識別子、並びに、前記第１の記憶部内で関連付けられた前記接続情報及び前記認証印刷データ識別子を、第１の線通信部を介して、前記画像形成装置に送信する制御を行う第１の制御部と、
前記第１の制御部の制御により、前記認証情報を送信し、前記情報処理装置及び前記画像形成装置と連携して認証処理を行う第１の認証処理部とを備え、
前記情報処理装置は、
前記画像形成装置と通信を行う第１の通信部と、
前記携帯端末識別子と、前記認証印刷データ識別子とを関連付けて記憶する第２の記憶部と、
前記携帯端末と音声通信を行う第２の音声入出力部と、
前記第１の通信部を介して、前記画像形成装置から転送された前記携帯端末識別子及び前記認証印刷データ識別子が、前記第２の記憶部に存在する場合には、当該情報処理装置、前記画像形成装置、及び前記携帯端末間で認証印刷処理可能なグループ接続状態に移行する第２の認証処理部とを備え、
前記画像形成装置は、
前記情報処理装置と通信を行う第２の通信部と、
前記携帯端末と無線通信を行う第２の無線通信部と、
前記認証印刷データに基づき画像形成を行う画像形成部と、
前記第２の無線通信部を介して、前記携帯端末から受信した前記接続情報を用いて、前記第２の通信部により前記情報処理装置と接続し、前記携帯端末から受信した前記携帯端末識別子及び前記認証印刷データを、前記情報処理装置に転送する制御を行う第２の制御部と、
前記携帯端末及び前記情報処理装置の音声確認の結果に基づき、前記認証印刷データ識別子に基づく前記認証印刷データを前記情報処理装置から取得し、前記画像形成部に取得した印刷データに基づき画像形成を行わせる制御を行う第３の認証処理部とを備え、
前記携帯端末から前記画像形成装置に画像形成を行わせるときに、
前記第１の認証処理部は、前記第１の制御部の制御により、前記携帯端末識別子、前記接続情報及び前記認証印刷データ識別子を、前記画像形成装置に送信し、
前記第３の認証処理部は、前記第２の制御部の制御により、前記携帯端末から受信した前記接続情報に基づき、前記情報処理装置と接続し、前記携帯端末から受信した前記携帯端末識別子及び前記認証印刷データを、前記情報処理装置に転送し、
前記第２の認証処理部は、前記画像形成装置から転送された前記携帯端末識別子及び前記認証印刷データ識別子が、前記第２の記憶部に存在する場合には、前記グループ接続状態に移行し、
前記第３の認証処理部は、前記グループ接続状態に移行した後、前記携帯端末及び前記情報処理装置に対して、音声の確認を促し、前記携帯端末及び前記情報処理装置から音声の確認を受け付けた旨の通知を受けた場合には、前記認証印刷データ識別子に基づく前記認証印刷データを前記情報処理装置から取得し、前記画像形成部に取得した印刷データに基づき画像形成を行わせる制御を行う
ことを特徴とする認証印刷システム。
【請求項２】
前記携帯端末は、前記情報処理装置と接続する第１の外部装置接続手段をさらに備え、
前記情報処理装置は、
前記携帯端末と接続する第２の外部装置接続手段と、
前記第２の外部装置接続手段を介して、前記携帯端末から取得した前記携帯端末識別子と関連付ける前記認証印刷データ識別子を受け付けて、受け付けた前記携帯端末識別子及び前記認証印刷データ識別子を前記第２の記憶部に記憶する制御を行う第３の制御部とを備え、
前記第１の制御部は、前記第１の外部装置接続手段を介して、前記第３の制御部により関連付けられた前記認証印刷データ識別子と、前記接続情報を取得し、取得した前記認証印刷データ識別子及び前記接続情報を、前記第１の記憶部に記憶する制御を行う
ことを特徴とする請求項１に記載の認証印刷システム。
【請求項３】
前記第１の無線通信部、及び前記第２の無線通信部は、近距離無線通信により無線通信を行うことを特徴とする請求項１又は２に記載の認証印刷システム。
【請求項４】
前記第２の無線通信部は、無線により接続する前記携帯端末との距離を取得可能であり、
前記第３の認証処理部は、前記第２の認証処理部により前記グループ接続状態に移行した後には、前記第２の無線通信部を用いて、前記携帯端末との距離値を周期的に取得し、取得した距離値と閾値との比較を行い、その結果に基づき、前記認証印刷データの画像形成を中止する制御を行う
ことを特徴とする請求項１〜３のいずれかに記載の認証印刷システム。
【発明の詳細な説明】
【技術分野】
【０００１】
本発明は、認証印刷システムに関し、例えば、携帯端末を用いた認証印刷システムに適用できる。
【背景技術】
【０００２】
近年のセキュリティ意識の向上に伴い、ネットワークを介した印刷システムにおいて、認証機能が使用されるようになってきている。この認証機能は、例えば、印刷装置に印刷指示を行う者（言い換えば、印刷データの送信者）と、印刷された印刷物を受け取る受取人とが異なる場合に利用される。印刷指示者により指名を受けた受取人の認証を行うことにより、悪意ある第三者の印刷物の持ち去り等を防止することができる。
【０００３】
例えば、特許文献１の印刷システムは、以下の手順に従い認証を行う。まず、印刷データの送信者側は、印刷出力の受信者側の携帯端末の端末ＩＤとメールアドレスを印刷データのヘッダに付与して、印刷装置に印刷データを送信する。次に、印刷装置は、受信した携帯端末の端末ＩＤ、メールアドレス、及び印刷データを関連付けて格納し、この関連付け情報に基づいて、携帯端末に認証を促す電子メールを作成して送信する。そして、当該電子メール送信先の携帯ユーザーにより携帯端末が印刷装置のリーダに翳されると、印刷装置は、携帯端末ＩＤを取得して、認証を行い、その認証結果に基づいて、印刷データを出力する。
【先行技術文献】
【特許文献】
【０００４】
【特許文献１】特開２００８−７７４３８
【発明の概要】
【発明が解決しようとする課題】
【０００５】
しかしながら、上記特許文献１に記載のシステムでは、印刷装置から電子メールを受信した携帯端末の所持者が印刷出力を実施できる。つまり、携帯端末の所持者が正規の持ち主以外の第三者である場合でも、印刷出力を実施できることになってしまう。
【０００６】
また、上記特許文献１に記載のシステムでは、印刷装置による携帯端末（端末ＩＤ）の認証後、携帯端末の所持者（受信者）は、印刷出力中の印刷装置から離れてしまうことが可能であった（さらに、離れたことを検知する手段も存在しなかった）。このような状況では、出力された印刷物は正当な受信者以外にも容易にアクセスできるため、認証印刷の安全性が低下するおそれがある。
【０００７】
そのため、認証印刷の安全性を向上させることができる認証印刷システムが望まれている。
【課題を解決するための手段】
【０００８】
本発明は、通信回線を介して接続される情報処理装置および画像形成装置、並びに携帯端末が連携して認証印刷を行う認証印刷システムであって、前記携帯端末は、(１−１)前記画像形成装置と無線通信を行う第１の無線通信部と、(１−２)当該携帯端末固有の識別子である携帯端末識別子を管理する管理部と、(１−３)前記画像形成装置が前記情報処理装置と通信する際に利用する接続情報と、前記画像形成装置が保持する認証印刷データを識別する認証印刷データ識別子とを関連付けて記憶する第１の記憶部と、(１−４)前記情報処理装置と音声通信を行う第１の音声入出力部と、(１−５)認証情報の一部である前記携帯端末識別子、並びに、前記第１の記憶部内で関連付けられた前記接続情報及び前記認証印刷データ識別子を、第１の線通信部を介して、前記画像形成装置に送信する制御を行う第１の制御部と、(１−６)前記第１の制御部の制御により、前記認証情報を送信し、前記情報処理装置及び前記画像形成装置と連携して認証処理を行う第１の認証処理部とを備え、前記情報処理装置は、(２−１)前記画像形成装置と通信を行う第１の通信部と、(２−２)前記携帯端末識別子と、前記認証印刷データ識別子とを関連付けて記憶する第２の記憶部と、(２−３)前記携帯端末と音声通信を行う第２の音声入出力部と、(２−４)前記第１の通信部を介して、前記画像形成装置から転送された前記携帯端末識別子及び前記認証印刷データ識別子が、前記第２の記憶部に存在する場合には、当該情報処理装置、前記画像形成装置、及び前記携帯端末間で認証印刷処理可能なグループ接続状態に移行する第２の認証処理部とを備え、前記画像形成装置は、(３−１)前記情報処理装置と通信を行う第２の通信部と、(３−２)前記携帯端末と無線通信を行う第２の無線通信部と、(３−３)前記認証印刷データに基づき画像形成を行う画像形成部と、(３−４)前記第２の無線通信部を介して、前記携帯端末から受信した前記接続情報を用いて、前記第２の通信部により前記情報処理装置と接続し、前記携帯端末から受信した前記携帯端末識別子及び前記認証印刷データを、前記情報処理装置に転送する制御を行う第２の制御部と、(３−５)前記携帯端末及び前記情報処理装置の音声確認の結果に基づき、前記認証印刷データ識別子に基づく前記認証印刷データを前記情報処理装置から取得し、前記画像形成部に取得した印刷データに基づき画像形成を行わせる制御を行う第３の認証処理部とを備え、前記携帯端末から前記画像形成装置に画像形成を行わせるときに、(４−１)前記第１の認証処理部は、前記第１の制御部の制御により、前記携帯端末識別子、前記接続情報及び前記認証印刷データ識別子を、前記画像形成装置に送信し、(４−２)前記第３の認証処理部は、前記第２の制御部の制御により、前記携帯端末から受信した前記接続情報に基づき、前記情報処理装置と接続し、前記携帯端末から受信した前記携帯端末識別子及び前記認証印刷データを、前記情報処理装置に転送し、(４−３)前記第２の認証処理部は、前記画像形成装置から転送された前記携帯端末識別子及び前記認証印刷データ識別子が、前記第２の記憶部に存在する場合には、前記グループ接続状態に移行し、(４−４)前記第３の認証処理部は、前記グループ接続状態に移行し���後、前記携帯端末及び前記情報処理装置に対して、音声の確認を促し、前記携帯端末及び前記情報処理装置から音声の確認を受け付けた旨の通知を受けた場合には、前記認証印刷データ識別子に基づく前記認証印刷データを前記情報処理装置から取得し、前記画像形成部に取得した印刷データに基づき画像形成を行わせる制御を行うことを特徴とする。
【発明の効果】
【０００９】
本発明によれば、認証印刷の安全性を向上させることができる。
【図面の簡単な説明】
【００１０】
【図１】実施形態に係る認証印刷システムの全体構成を示すブロック図である。
【図２】実施形態に係るＰＣの内部構成を示すブロック図である。
【図３】実施形態に係るＰＣの記憶部の詳細構成を示すブロック図である。
【図４】実施形態に係る携帯端末の内部構成を示すブロック図である。
【図５】実施形態に係る印刷装置の内部構成を示すブロック図である。
【図６】実施形態に係る印刷装置４の認証印刷処理プログラムの詳細構成を示すブロック図である。
【図７】実施形態に係る認証印刷システムの動作（認証印刷処理）を概要的に示すフローチャートである。
【図８】実施形態に係る認証印刷システムの動作（ＰＣ及び携帯端末の認証情報の交換手順）を示す説明図である。
【図９】実施形態に係るＰＣの記憶部内で、端末ＩＤと、認証印刷データとを紐づけた（関連付けた）イメージを示す説明図である。
【図１０】実施形態に係る携帯端末の記憶部内で、ＰＣのＮＷ情報と、認証印刷データ（データＩＤ）とを紐づけた（関連付けた）イメージを示す説明図である。
【図１１】実施形態に係る認証印刷システムの動作（グループ接続の手順）を概略的に示す説明図である。
【図１２】実施形態に係る携帯端末の動作（印刷装置に認証情報を送信し、印刷装置からグループ接続承認信号を受信することによりグループ接続を確立する処理）を示すフローチャートである。
【図１３】実施形態に係る印刷装置の動作（携帯端末から受信した認証情報をＰＣに転送し、ＰＣからグループ接続承認信号を受信することによりグループ接続を確立する処理）を示すフローチャートである。
【図１４】実施形態に係るＰＣの動作（印刷装置から受信した認証情報に基づき認証を行い、印刷装置にグループ接続承認信号を送信することによりグループ接続を確立する処理）を示すフローチャートである。
【図１５】実施形態に係るグループ接続確立処理において、各装置間で送受信されるデータ、及び信号に着目してまとめた内容を示す説明図である。
【図１６】実施形態に係るＰＣ、携帯端末、及び印刷装置間で形成されるグループ接続状態を示す説明図である。
【図１７】実施形態に係るグループ接続状態の概念を簡易にイメージ化した説明図である。
【図１８】実施形態に係る印刷装置の動作（環境条件監視処理）を示すフローチャートである。
【図１９】実施形態に係るＰＣ（又は携帯端末）の動作（環境条件監視処理）を示すフローチャートである。
【図２０】実施形態に係る各装置のグループ接続中における音声通話確認、及び認証印刷物の出力処理を示す説明図である。
【図２１】実施形態に係る音声通話確認において、ＰＣ（又は携帯端末）の表示部に使用する画面の一例を示す説明図である。
【発明を実施するための形態】
【００１１】
（Ａ）主たる実施形態
以下、本発明による認証印刷システムの実施形態を、図面を参照しながら詳述する。
【００１２】
（Ａ−１）実施形態の構成
（Ａ−１−１）全体構成
図１は、実施形態に係る認証印刷システムの全体構成を示すブロック図である。
【００１３】
認証印刷システム１は、ネットワークＮ、携帯端末２、情報処理装置としてのＰＣ３及び画像形成装置としての印刷装置４を有する。
【００１４】
ネットワークＮは、ＰＣ３及び印刷装置４を接続するネットワークである。ネットワークＮの接続構成や通信仕様等は限定されないものであり、有線又は無線のいずれかであっても良い。なお、この実施形態では、ネットワークＮは、ＬＡＮ（Ｌｏｃａｌ  Ａｒｅａ  Ｎｅｔｗｏｒｋ）を経由したインターネットを想定している。
【００１５】
携帯端末２は、音声通話が可能な携帯型の端末であり、例えば、携帯電話機やスマートフォン等である。また、携帯端末２は、ＮＦＣ（Ｎｅａｒ  Ｆｉｅｌｄ  Ｃｏｍｍｕｎｉｃａｔｉｏｎ：近距離無線通信）により、印刷装置４とデータの送受信を行う機能を有する。
【００１６】
ＰＣ３は、一般的なＯＳ（Ｏｐｅｒａｔｉｎｇ  ｓｙｓｔｅｍ）及びソフトウェア（印刷装置４にアクセス可能なドライバを含む）がインストールされたコンピュータである。
【００１７】
次に、認証印刷システム１における認証印刷の処理の流れを概略的に説明する。認証印刷データの送り手（ユーザーＡ）の操作するＰＣ３は、認証印刷物Ｘの受け手（ユーザーＢ）の操作する携帯端末２と認証情報を交換する。次に、携帯端末２は、ＰＣ３から隔てられた場所に設置されている認証印刷物Ｘを出力させたい印刷装置４と近接無線接続して、認証情報を印刷装置４に受け渡す。印刷装置４は、携帯端末２から受け渡された認証情報に基づいて、ＰＣ３、携帯端末２、印刷装置４の各制御部が連携して認証印刷処理が可能なグループ接続を確立する。そして、印刷装置４は、ユーザーＡと、ユーザーＢに対して、音声通話による認証判断の手段を提供し、認証処理中において、ユーザーＢが印刷装置４の一定距離内にいるか監視して、安全に認証印刷出力を行う。
【００１８】
（Ａ−１−２）携帯端末２の詳細な構成
図４は、実施形態に係る携帯端末の内部構成を示すブロック図である。
【００１９】
携帯端末２は、第１の制御部としての制御部２１、第１の記憶部としての記憶部２２、第１の無線通信部としての近接無線接続部２３、第１の外部装置接続手段としての接続部２４、表示部２５、操作部２６、第１の音声入出力部としての音声入出力部２７、及び管理部としてのＩＤ管理部２８を有する。
【００２０】
制御部２１は、基本プログラム２１１、第１の認証処理部としての認証印刷処理プログラム２１２、データ２１３、図示しないＣＰＵ（Ｃｅｎｔｒａｌ  Ｐｒｏｃｅｓｓｉｎｇ  Ｕｎｉｔ）及びメモリ等から構成され、各部を統括的に制御し、当該携帯端末２の動作を制御する。
【００２１】
基本プログラム２１１は、携帯端末２のＯＳ等であり、携帯端末２の各部を制御するためのプログラムである。
【００２２】
認証印刷処理プログラム２１２は、認証印刷の処理を実行するためのプログラムである。なお、認証印刷処理プログラム２１２の詳細動作については、後述する動作の項で改めて述べる。
【００２３】
データ２１３は、基本プログラム２１１及び認証印刷処理プログラム２１２により参照されるデータである。
【００２４】
記憶部２２は、長期間記憶したいデータを保持する記憶部であって、例えば、不揮発性のメモリ等である。
【００２５】
近接無線接続部２３は、近接無線接続６を介して、印刷装置４と接続するインタフェースである。なお、近接無線接続部２３は、近接無線接続６への接続の際に参照する無線情報２３１を保持する。近接無線接続６には、接続機器間の距離を取得可能な種々の無線通信方式を適用することができるが、例えば、Ｗｉ−Ｆｉ（Ｗｉｒｅｌｅｓｓ  Ｆｉｄｅｌｉｔｙ、登録商標）やｉＢｅａｃｏｎ（登録商標）等が該当する。
【００２６】
接続部２４は、先述の接続５を介して、ＰＣ３と接続するインタフェースである。
【００２７】
表示部２５は、携帯端末２の出力部（画面表示部）であって、例えば、液晶画面等が該当する。なお、表示部３５は、例えば、タッチパネル等、携帯端末２を操作する手段（後述する操作部２６の機能）を兼ねるものであっても良い。
【００２８】
操作部２６は、携帯端末２の入力部であって、例えば、英数字キーやスクロールホイール等が該当する。
【００２９】
音声入出力部２７は、例えば、マイク、スピーカー、ヘッドホン等である。また、音声入出力部２７は、カメラ等のような、画像入力装置を備えていても良い。
【００３０】
ＩＤ管理部２８は、当該携帯端末２を他の携帯端末と区別して、一意に識別する端末ＩＤ２８１を管理する。
【００３１】
なお、携帯端末２は、携帯電話、スマートフォン、小型モバイルＰＣ等の種々の端末を適用可能である。
【００３２】
（Ａ−１−３）ＰＣ３の詳細な構成
図２は、実施形態に係るＰＣの内部構成を示すブロック図である。
【００３３】
ＰＣ３は、第３の制御部としての制御部３１、第２の記憶部としての記憶部３２、第１の通信部としてのネットワーク接続部３３、第２の外部装置接続手段としての接続部３４、表示部３５、操作部３６、及び音声入出力部３７を有する。
【００３４】
制御部３１は、基本プログラム３１１、第２の認証処理部としての認証印刷処理プログラム３１２、データ３１３、図示しないＣＰＵ（Ｃｅｎｔｒａｌ  Ｐｒｏｃｅｓｓｉｎｇ  Ｕｎｉｔ）及びメモリ等から構成され、各部を統括的に制御し、当該ＰＣ３の動作を制御する。
【００３５】
基本プログラム３１１は、ＰＣ３のＯＳ等であり、ＰＣ３の各部を制御するためのプログラムである。
【００３６】
認証印刷処理プログラム３１２は、認証印刷の処理を実行するためのプログラムである。なお、認証印刷処理プログラム３１２の詳細動作については、後述する動作の項で改めて述べる。
【００３７】
データ３１３は、基本プログラム３１１及び認証印刷処理プログラム３１２により参照されるデータである。
【００３８】
図３は、実施形態に係るＰＣの記憶部の詳細構成を示すブロック図である。
【００３９】
記憶部３２は、長期間記憶したいデータ３２１を保持する記憶部であって、例えば、ハードディスク、不揮発性のメモリ等である。また、記憶部３２は、認証印刷データベース３２２を有する。認証印刷データベース３２２は、複数の認証印刷データ３２３を、一意のデータＩＤ３２４と対応付けて管理するデータベースである。
【００４０】
ネットワーク接続部３３は、ネットワークＮに接続するインタフェースである。なお、ネットワーク接続部３３は、ネットワークＮに接続する際に参照するネットワーク（ＮＷ）情報３３１を保持する。
【００４１】
接続部３４は、接続５を介して、携帯端末２と接続するインタフェースである。接続５には、有線、無線を問わず、種々の方式を適用することができるが、この実施形態では、例えば、ＵＳＢ（Ｕｎｉｖｅｒｓａｌ  Ｓｅｒｉａｌ  Ｂｕｓ）等の有線接続を想定している。
【００４２】
表示部３５は、ＰＣ３の出力部であって、例えば、液晶画面（モニタ）等が該当する。なお、表示部３５は、例えば、タッチパネル等、ＰＣ３を操作する手段（後述する操作部３６の機能）を兼ねるものであっても良い。
【００４３】
操作部３６は、ＰＣ３の入力部であって、例えば、マウスやキーボード等が該当する。
【００４４】
音声入出力部３７は、例えば、マイク、スピーカー、ヘッドホン等である。また、音声入出力部３７は、カメラ等のような、画像入力装置を備えていても良い。
【００４５】
なお、ＰＣ３は、タブレット端末等の携帯端末でも良い。
【００４６】
（Ａ−１−４）印刷装置４の詳細な構成
図５は、実施形態に係る印刷装置の内部構成を示すブロック図である。
【００４７】
印刷装置４は、第２の制御部としての制御部４１、記憶部４２、第２の無線通信部としての近接無線接続部４３、第２の通信部としてのネットワーク接続部４４、表示部４５、操作部４６、及び画像形成部としての印刷部４７を有する。
【００４８】
制御部４１は、基本プログラム４１１、第３の認証処理部としての認証印刷処理プログラム４１２、データ４１５、図示しないＣＰＵ（Ｃｅｎｔｒａｌ  Ｐｒｏｃｅｓｓｉｎｇ  Ｕｎｉｔ）及びメモリ等から構成され、各部を統括的に制御し、当該印刷装置４の動作を制御する。
【００４９】
基本プログラム４１１は、印刷装置４のＯＳ等であり、印刷装置４の各部を制御するためのプログラムである。
【００５０】
図６は、実施形態に係る印刷装置４の認証印刷処理プログラムの詳細構成を示すブロック図である。
【００５１】
認証印刷処理プログラム４１２は、認証印刷の処理を実行するためのプログラムである。なお、印刷装置４の認証印刷処理プログラム４１２は、携帯端末２が当該印刷装置４と一定の距離内に存在するか監視するため、内部パラメータ４１３中に、近接無線接続６の機能により取得できる装置間の距離と比較する閾値である近接無線接続制限距離４１４を保持する。また、認証印刷処理プログラム４１２の詳細動作については、後述する動作の項で改めて述べる。
【００５２】
データ４１５は、基本プログラム４１１及び認証印刷処理プログラム４１２により参照されるデータである。
【００５３】
記憶部４２は、長期間記憶したいデータを保持する記憶部であって、例えば、ハードディスク、不揮発性のメモリ等である。
【００５４】
近接無線接続部４３は、先述の近接無線接続６を介して、携帯端末２と接続するインタフェースである。なお、近接無線接続部４３は、近接無線接続６への接続の際に参照する無線情報４３１を保持する。
【００５５】
ネットワーク接続部４４は、ネットワークＮに接続するインタフェースである。なお、ネットワーク接続部４４は、ネットワークＮに接続する際に参照するネットワーク（ＮＷ）情報４４１を保持する。
【００５６】
表示部４５は、印刷装置４の出力部（画面表示部）であって、例えば、液晶画面、ＬＥＤ画面等が該当する。なお、表示部４５は、例えば、タッチパネル等、印刷装置４を操作する手段（後述する操作部４６の機能）を兼ねるものであっても良い。
【００５７】
操作部４６は、印刷装置４の入力部であって、例えば、英数字キーや押しボタン等が該当する。
【００５８】
印刷部４７は、印刷媒体に画像を印刷して、認証印刷物Ｘとして出力する機能を有する。
【００５９】
なお、印刷装置４は、プリンタ、ＭＦＰ（Ｍｕｌｔｉ−Ｆｕｎｃｔｉｏｎ  Ｐｒｉｎｔｅｒ）、ＦＡＸ等の種々の装置を適用可能である。
【００６０】
（Ａ−２）実施形態の動作
次に、以上のような構成を有する実施形態に係る認証印刷システム１の動作を説明する。以下では、ＰＣ３は、認証印刷データの送り手であるユーザーＡにより操作されているものとし、携帯端末２はユーザーＢにより操作されているものとする。
【００６１】
図７は、認証印刷システムの動作（認証印刷処理）を概要的に示すフローチャートである。
【００６２】
まず、ＰＣ３及び携帯端末２は、認証情報の交換を行う（Ｓ１）。なお、認証情報とは、認証印刷処理を行うため、事前に、ＰＣ３と携帯端末２が交換していなければならない情報（例えば、携帯端末２固有のＩＤ等）である。
【００６３】
次に、ＰＣ３、携帯端末２、及び印刷装置４間で、グループ接続を確立する（Ｓ２）。
【００６４】
次に、確立したグループ接続内において、ＰＣ３を操作するユーザーＡと、携帯端末２を操作するユーザーＢの音声通話確認を行う（Ｓ３）。そして、ＰＣ３及び携帯端末２は、音声通話確認の結果を印刷装置４に通知する。
【００６５】
そして、印刷装置４は、音声通話確認の結果に基づき、認証印刷物Ｘを出力する。出力された認証印刷物Ｘは、ユーザーＢにより回収される。
【００６６】
次に、認証印刷処理の詳細（先述のステップＳ１〜Ｓ３の詳細）について説明を行う。
【００６７】
［ステップＳ１：ＰＣ３及び携帯端末２の認証情報の交換］
図８は、認証印刷システムの動作（ＰＣ及び携帯端末の認証情報の交換手順）を示す説明図である。
【００６８】
ＰＣ３及び携帯端末２は、未接続の状態から、ＰＣ３の接続部３４と携帯端末の接続部２４を、接続５により接続する（Ｓ１−１、Ｓ１−２）。例えば、携帯端末２は、ＵＳＢケーブルにより、ＰＣ３と接続する。
【００６９】
携帯端末２は、ＰＣ３へ自身の端末ＩＤ２８１を送信する（Ｓ１−３）。ＰＣ３は、携帯端末２から受信した携帯端末２の端末ＩＤ２８１を記憶部３２に記憶する。そして、ＰＣ３は、携帯端末２（携帯端末２のユーザーＢ）に印刷を許可する認証印刷データ３２３の選択を、表示部３５及び操作部３６を介して、受け付ける。なお、ＰＣ３が受け付ける（選択される）認証印刷データは、複数でも良い。ＰＣ３は、端末ＩＤ２８１と、受け付けた認証印刷データ（データＩＤ３２４）を認証印刷データベース３２２内で紐づける処理を行う。図９では、ＰＣ３の記憶部３２内で、端末ＩＤ２８１と、認証印刷データとを紐づけた（関連付けた）イメージを示している。
【００７０】
ＰＣ３は、選択された認証印刷データのデータＩＤ３２４及び、ＰＣ３のＮＷ情報３３１を、接続５を介して携帯端末２に送信する（Ｓ１−４）。そして、携帯端末２は、受信したデータＩＤ３２４及びＮＷ情報３３１を、図１０に示すように紐づけて（関連付けて）記憶する。
【００７１】
ＰＣ３及び携帯端末２は、認証情報の交換後、接続５を切断する（Ｓ１−５）。
【００７２】
［ステップＳ２：グループ接続］
図１１は、認証印刷システムの動作（グループ接続の手順）を概略的に示す説明図である。なお、本実施形態では、ＰＣ３は、携帯端末２及び印刷装置４から物理的に隔たった場所に設置されているものとする（勿論、近接位置に設定されていても良い）。また、ＰＣ３を操作するユーザーＡは、携帯端末２を操作するユーザーＢを直接的に人物確認できないし、ユーザーＢが印刷装置４の近傍に存在するか否か直接的に判断できないものとする。さらに、携帯端末２を所持する認証印刷物Ｘの受け手であるユーザーＢは、印刷装置４の近傍（近接無線接続の接続可能距離内）に存在するものとする。
【００７３】
まず、携帯端末２及び印刷装置４は、待機状態から、近距離無線接続を確立する（Ｓ２−１、Ｓ２−２）。
【００７４】
次に、印刷装置４及びＰＣ３は、ネットワーク接続を確立する（Ｓ２−３）。
【００７５】
そして、認証印刷システム１は、携帯端末２と、ＰＣ３の認証情報を、印刷装置４を介した接続上で比較判定した上で、それぞれの制御部（制御部３１〜制御部４１）で実行されている認証印刷プログラム（認証印刷処理プログラム３１２〜認証印刷処理プログラム２０１４）間での連携が可能な状態であるグループ接続を確立する（Ｓ２−４）。
【００７６】
図１２は、携帯端末の動作（印刷装置に認証情報を送信し、印刷装置からグループ接続承認信号を受信することによりグループ接続を確立する処理）を示すフローチャートである。
【００７７】
まず、携帯端末２は、待機状態の印刷装置４から近接無線接続待ち信号を受信すると、その旨を表示部２５に表示する（ユーザーＢに通知する）（Ｍ１）。
【００７８】
携帯端末２は、ユーザーＢによる操作部２６の操作を受け付けた後、印刷装置４に対して近接無線接続要求信号を送信する（Ｍ２）。
【００７９】
携帯端末２は、近接無線接続部２３と、印刷装置４の近接無線接続部４３との間のネゴシエーションによって、近接無線接続６を確立する（Ｍ３、Ｍ４）。
【００８０】
携帯端末２は、確立した近接無線接続６を介して、先述のステップＳ１−４の処理により取得したＰＣ３のＮＷ情報３３１を、印刷装置４に送信する（Ｍ５）。
【００８１】
携帯端末２は、印刷装置４からＮＷ接続信号（後述する印刷装置４とＰＣ３とのネットワークＮの確立を通知する信号）の返信待ちの状態に移行し、当該信号を受信した場合に、次の処理を行う（Ｍ６）。
【００８２】
携帯端末２は、自身の端末ＩＤ２８１及び認証印刷データのデータＩＤ３２４を送信する（Ｍ７）。
【００８３】
その後、携帯端末２は、印刷装置４からグループ接続承認信号の受信を待つ待機状態に移行する。携帯端末２は、例えば、所定時間内に、グループ接続承認信号を受信できた場合には、後述するステップＭ９の処理を行い、受信できなかった場合には、後述するステップＭ１２の処理を行う（Ｍ８）。
【００８４】
携帯端末２は、先述のステップＭ８の処理により、グループ接続承認信号を受信できたと判定された場合には、グループ接続の確立処理を行って、その旨を、表示部２５を介してユーザーＢに通知する（Ｍ９、Ｍ１０）。
【００８５】
一方、携帯端末２は、先述のステップＭ８の処理により、グループ接続承認信号を受信できなかった場合には、グループ接続の確立処理を破棄して、その旨を、表示部２５を介してユーザーＢに通知する（Ｍ１１、Ｍ１２）。なお、グループ接続の確率処理の破棄とは、例えば、携帯端末２内の認証情報の消去や、又はグループ接続の確立処理リトライのためのデータクリーンアップである。
【００８６】
図１３は、印刷装置の動作（携帯端末から受信した認証情報をＰＣに転送し、ＰＣからグループ接続承認信号を受信することによりグループ接続を確立する処理）を示すフローチャートである。
【００８７】
印刷装置４は、近接無線接続待ち信号を送信後、携帯端末２から接続要求信号の受信を待つ待機状態に移行する（Ｐ１、Ｐ２）。
【００８８】
印刷装置４は、先述のステップＰ２の処理により、接続要求信号を受信できた場合には、近接無線接続部４３と、携帯端末２の近接無線接続部２３との間のネゴシエーションによって、近接無線接続を確立する（Ｐ３、Ｐ４）。
【００８９】
その後、印刷装置４は、確立した近接無線接続６を介して、ＰＣ３のＮＷ情報３３１の受信を待つ（Ｐ５）。
【００９０】
印刷装置４は、先述のステップＰ５の処理により、ＰＣ３のＮＷ情報３３１を受信できた場合には、当該受信したＮＷ情報３３１を基にして、ネットワーク接続部４４とＰＣ３のネットワーク接続部３３との間のネゴシエーションを行い、ＰＣ３とのネットワーク接続を確立する（Ｐ６、Ｐ７）。
【００９１】
印刷装置４は、ネットワーク接続の確立を通知するＮＷ接続信号を携帯端末２に送信後、携帯端末２から、近接無線接続６を介して、端末ＩＤ２８１、及び認証印刷データのデータＩＤ３２４の受信を待つ待機状態に移行する（Ｐ８、Ｐ９）。
【００９２】
印刷装置４は、先述のステップＰ９の処理により、端末ＩＤ２８１、及びデータＩＤ３２４を受信できた場合には、受信した端末ＩＤ２８１、及びデータＩＤ３２４を、ネットワークＮを介して、ＰＣ３に転送（送信）する（Ｐ１０）。
【００９３】
印刷装置４は、ＰＣ３からのグループ接続承認信号の受信を待つ待機状態に移行した後、受信した信号がグループ接続承認信号か否か判定を行う（Ｐ１１）。
【００９４】
印刷装置４は、先述のステップＰ１２の処理により、グループ接続承認信号を受信できた場合には、携帯端末２にもグループ接続承認信号を送信し、グループ接続の確立処理を行う（Ｍ１２、Ｍ１３）。
【００９５】
一方、印刷装置４は、先述のステップＭ１２の処理により、グループ接続承認信号を受信できなかった場合には、グループ接続の確立処理を破棄して、グループ接続非承認信号を、携帯端末２に通知する（Ｍ１４、Ｍ１５）。
【００９６】
図１４は、ＰＣの動作（印刷装置から受信した認証情報に基づき認証を行い、印刷装置にグループ接続承認信号を送信することによりグループ接続を確立する処理）を示すフローチャートである。
【００９７】
ＰＣ３は、ネットワーク接続要求を待つ待機状態中に、印刷装置４からネットワーク接続要求を受信すると、ネットワーク接続部３３と印刷装置４のネットワーク接続部４４との間のネゴシエーションを行い、印刷装置４とのネットワーク接続を確立する（Ｃ１〜Ｃ３）。
【００９８】
ＰＣ３は、ネットワークの確立後、印刷装置４から、ネットワークＮを介して、端末ＩＤ２８１、及び認証印刷データのデータＩＤ３２４の受信を待つ待機状態に移行する（Ｃ４）。
【００９９】
ＰＣ３は、先述のステップＣ４の処理により、端末ＩＤ２８１、及びデータＩＤ３２４を受信できた場合には、受信した端末ＩＤ２８１、及びデータＩＤ３２４をキーとして、記憶部３２（認証印刷データベース３２２）内を検索し、先述の図９で示したような紐付けした端末ＩＤ２８１、及びデータＩＤ３２４の組み合わせのデータがヒットしたか否かを判定する（Ｃ５）。
【０１００】
ＰＣ３は、先述のステップＣ５の処理により紐付けしたデータがヒットした場合には、ネットワークＮを介してグループ接続承認信号を印刷装置４に送信し、グループ接続の確立処理を行った後、その旨を、表示部４５を介してユーザーＡに通知する（Ｃ６〜Ｃ８）。
【０１０１】
一方、ＰＣ３は、先述のステップＣ５の処理により紐付けしたデータがヒットしない（存在しない）場合には、ネットワークＮを介してグループ接続非承認信号を印刷装置４に送信し、グループ接続確立処理を破棄する（Ｃ９、Ｃ１０）。
【０１０２】
図１５は、図１２〜図１４のグループ接続確立処理において、各装置間で送受信されるデータ、及び信号に着目してまとめた内容を示す説明図である。
【０１０３】
先述のステップＳ２−１、Ｓ２−２で説明した通り、携帯端末２及び印刷装置４の近接無線接続６の確立後、携帯端末２は、まず、認証情報として、ＰＣ３のＮＷ情報３３１を印刷装置４に送信する。
【０１０４】
次に、先述のステップＳ２−４で説明した通り、印刷装置４は、ＮＷ情報３３１を用いて、ＰＣ３との間でネットワークＮを確立する。
【０１０５】
次に、印刷装置４は、携帯端末２から送信された認証情報の一部である、端末ＩＤ２８１及びデータＩＤ３２４を、ＰＣ３に中継する。
【０１０６】
次に、印刷装置４は、ＰＣ３から送信されたグループ接続の承認信号を受信し、同種のグループ接続の承認信号を携帯端末２に送信する。
【０１０７】
以上により、先述のステップＳ２−４で説明したようにグループ接続が確立される。
【０１０８】
ここで、図１２〜図１４のグループ接続の確立処理により形成されるグループ接続について改めて説明を行う。図１６は、ＰＣ３、携帯端末２、及び印刷装置４間で形成されるグループ接続状態を示す説明図である。図１６において、太字で強調されるグループ接続１０は、近接無線接続６、および、ネットワークＮを介して、ＰＣ３、携帯端末２、及び印刷装置４が接続されている状態である。そして、グループ接続１０は、各装置間で接続されることによって、各装置の制御部（制御部２１〜制御部４１）で実行されている認証印刷処理プログラム（認証印刷処理プログラム２１２〜認証印刷処理プログラム４１２）が連係して認証印刷処理を行い、その処理中に、相互にデータや信号の送受信が可能であり、さらに、グループ接続１０は、ＰＣ３や携帯端末２や印刷装置４と、ＰＣ３のユーザーＡ、若しくは携帯端末２のユーザーＢ、又は、ＰＣ３のユーザーＡと携帯端末２のユーザー同士で、表示部（表示部２５、表示部３５、表示部４５）、操作部（操作部２６、操作部３６、操作部４６）、及び音声入出力部（音声入出力部３７、音声入出力部２７）を介して、やり取りができる状態を言う。
【０１０９】
なお、グループ接続状態での認証印刷処理は、相互に連携した認証印刷処理プログラム（認証印刷処理プログラム３１２〜認証印刷処理プログラム４１２）によって行われるため、ネットワークをＯＳＩ参照モデルのように、階層的に見た場合、下層の具体的接続方法が何によって行われるかは大部分の認証印刷処理には本質的に関わらない。
【０１１０】
図１７は、グループ接続状態の概念を簡易にイメージ化した説明図である。
【０１１１】
グループ接続１０は、ＰＣ３及び印刷装置４間の接続（抽象的な接続）１０ａと、携帯端末２及び印刷装置４間の接続（抽象的な接続）１０ｂと、ＰＣ３及び携帯端末２間の接続（抽象的な接続）１０ｃと、ＰＣ３のユーザーに提供されるユーザーインターフェース１４と、携帯端末のユーザーＢに提供されるユーザーインターフェース１５とを有する。
【０１１２】
ここで、グループ接続１０は、認証印刷の安全性を高めるために、「認証印刷処理中は、認証印刷物Ｘの受け手である携帯端末２のユーザーＢは、印刷装置４から一定の距離以内に存在しなければならない」という条件（環境条件）が、グループ接続の維持のために課される。この制約条件の成立は、認証印刷処理中の印刷装置４によって、近接無線接続６の機能を用いて監視される。
【０１１３】
図１８は、印刷装置の動作（環境条件監視処理）を示すフローチャートである。
【０１１４】
印刷装置４（認証印刷処理プログラム４１２）は、近接無線接続６(例えば、ｉＢｅａｃｏｎ)の機能によって、接続先の携帯端末２との距離を反復的に取得して、取得した距離値を認証印刷処理プログラム４１２の内蔵パラメータである近接無線接続制限距離４１４と比較する（Ｄ１）。
【０１１５】
印刷装置４は、先述のステップＤ１の処理により取得した距離値が近接無線接続制限距離４１４（閾値）を超えていると判定された場合（つまり、印刷装置４から離れたと判断できる場合）には、認証印刷処理を破棄して、ＰＣ３と携帯端末２へ、環境条件破綻信号を送信する（Ｄ２、Ｄ３）。
【０１１６】
図１９は、ＰＣ（又は携帯端末）の動作（環境条件監視処理）を示すフローチャートである。図１９で示す処理は、ＰＣ３、及び携帯端末２で共通する処理のため、以下では、ＰＣ３を例示して説明する。
【０１１７】
ＰＣ３（認証印刷処理プログラム３１２）は、印刷装置４から環境条件破綻信号を受信したか否か判定する（Ｄ４）。
【０１１８】
ＰＣ３は、先述のステップＤ４の処理により環境条件破綻信号を受信したと判定された場合には、認証印刷処理を破棄し、その旨を、表示部３５を介してユーザーＡに通知する。
【０１１９】
なお、この監視処理（Ｄ１〜Ｄ６）は、認証印刷出力が終わって、グループ接続が切断されるまで継続するものとする。
【０１２０】
［ステップＳ３：音声通話確認、及び認証印刷物の出力処理］
図２０は、各装置のグループ接続中における音声通話確認、及び認証印刷物の出力処理を示す説明図である。以下では、ＰＣ３、携帯端末２、及び印刷装置４の制御部（制御部２１〜制御部４１）で、各々実行されている認証印刷処理プログラム（認証印刷処理プログラム２１２〜認証印刷処理プログラム４１２）が連携して処理を行うのであるが、説明を簡易にするため、「ＰＣ３が…」、「携帯端末２が…」、「印刷装置４が…」等のように省略して述べる。また、図２１は、音声通話確認において、ＰＣ（又は携帯端末）の表示部に使用する画面の一例を示す説明図である。
【０１２１】
印刷装置４は、ＰＣ３の表示部３５及び携帯端末２の表示部２５、並びに、ＰＣ３の音声入出力部３７及び携帯端末２の音声入出力部２７を介して、相互（印刷装置４のユーザーＡ及び携帯端末２のユーザーＢ）に音声通話確認を促す（Ｓ３−１）。
【０１２２】
例えば、印刷装置４は、ＰＣ３の表示部３５に、音声通話による承認を促す画面（図２１（Ａ））を表示するよう指示を行う（Ｓ３−１ａ）。また、印刷装置４は、携帯端末２の表示部２５に、音声通話による印刷開始を促す画面（図２１（Ｂ））を表示するよう指示を行う（Ｓ３−１ｂ）。さらに、印刷装置４は、ＰＣ３の音声入出力部３７及び、携帯端末２の音声入出力部２７に対して、図２１（Ｃ）で示すような音声通話による認証印刷の承認を促す音声メッセージを流すよう指示しても良い（Ｓ３−１ａ、Ｓ３−１ｂ）。なお、図２１（Ａ）における「承認」、「非承認」ボタンは、ＰＣ３のユーザーＡが操作部３６を使って選択可能なアイコンボタンである。また、図２１（Ｂ）の「開始」「中止」ボタンは、携帯端末２のユーザーＢが操作部２６を使って選択可能なアイコンボタンである。
【０１２３】
ＰＣ３及び携帯端末２は、ユーザーＡ及びユーザーＢが音声通話可能な状態にするため、呼接続処理を行う（Ｓ３−２）。例えば、ＰＣ３及び携帯端末２は、図示しないＳＩＰ（Ｓｅｓｓｉｏｎ  Ｉｎｉｔｉａｔｉｏｎ  Ｐｒｏｔｏｃｏｌ）サーバーを介して、既存の呼接続処理を行い、両者が通話可能な状態にする（Ｓ３−２ａｂ）。なお、ユーザーＡ及びユーザーＢの音声通話は、認証印刷出力が終了し、グループ接続１０が切断されるまで継続するものとする。このため、ＰＣ３のユーザーＡは、認証印刷物Ｘの受け手である携帯端末２のユーザーＢが認証印刷物Ｘを取得したことを音声通話により確認できる。
【０１２４】
ＰＣ３のユーザーＡは、音声通話によって、携帯端末２のユーザーＢが、認証印刷物Ｘの受け手であることを確認して、図２１（Ａ）の「承認」又は「非承認」を選択する。一方、携帯端末２のユーザーＢは、ＰＣ３のユーザーＡと音声通話を行った後、認証印刷物Ｘの出力を受け取れる状態であるかどうかを確認判断して、「開始」又は「中止」を選択する。そして、ＰＣ３のユーザーＡの選択（「承認」又は「非承認」）及び、携帯端末２のユーザーＢの選択（「開始」又は「中止」）は、各々印刷装置４に通知される（Ｓ３−３ａ、Ｓ３−３ｂ）。
【０１２５】
印刷装置４は、ＰＣ３及び携帯端末２から受信した通知の判定を行う（Ｓ３−３）。例えば、印刷装置４は、ＰＣ３からの通知が「承認」且つ携帯端末２からの通知が「開始」であった場合のみ、後述するステップＳ３ー４の処理を行い、それ以外の場合には、認証印刷処理を中止する。すなわち、データの破棄や、接続の遮断などである。
【０１２６】
印刷装置４は、ＰＣ３から受信した印刷データに基づき、認証印刷物Ｘを出力する（Ｓ３−４）。例えば、印刷装置４は、先述のステップＳ３−３の処理により、ＰＣ３からの通知が「承認」且つ携帯端末２からの通知が「開始」であった場合には、認証印刷データ３２３の送信要求を、ＰＣ３に送信する（Ｓ３−４−１）。ＰＣ３は、送信要求に基づき、認証印刷データ３２３を印刷装置４に返信する（Ｓ３−４−２）。そして、ＰＣ３は、印刷装置４から受信した認証印刷データ３２３に基づき認証印刷物Ｘを出力する（Ｓ３−４−３）。出力された認証印刷物Ｘは、印刷装置４の近傍にいる携帯端末２のユーザーＢにより、回収されることになる（Ｓ３−４−４）。ただし、先述の図１８及び図１９で説明した通り、環境条件によっては、印刷処理が中止され、認証印刷物Ｘは出力されない。
【０１２７】
（Ａ−３）実施形態の効果
この実施形態によれば、以下のような効果を奏することができる。
【０１２８】
認証印刷システム１では、認証印刷データ３２３を保持するＰＣ３から隔たった場所に設置されている印刷装置４から認証印刷物Ｘを出力する場合に、認証印刷処理のため、まず、印刷装置４と携帯端末２間の距離が一定以内でなければならないという環境条件を伴ったグループ接続を確立する。
【０１２９】
そして、認証印刷システム１では、上記環境条件を伴ったグループ接続中において、認証印刷データの送り手（ＰＣ３の操作者）と認証印刷物の受け手（携帯端末２の所持者）が音声通話確認を行い、それによって、認証印刷出力を行うか否かが決定されるので、必然的に、認証印刷出力を行う印刷装置４の近傍に、認証印刷物Ｘの受け手本人が存在することが保証されることになり認証印刷の安全性が高まる。
【符号の説明】
【０１３０】
１…認証印刷システム、２…携帯端末、３…ＰＣ、４…印刷装置、５…接続、６…近接無線接続、１０…グループ接続、１４、１５…ユーザーインターフェース、２１…制御部、２２…記憶部、２３…近接無線接続部、２４…接続部、２５…表示部、２６…操作部、２７…音声入出力部、２８…ＩＤ管理部、３１…制御部、３２…記憶部、３３…ネットワーク接続部、３４…接続部、３５…表示部、３６…操作部、３７…音声入出力部、４１…制御部、４２…記憶部、４３…近接無線接続部、４４…ネットワーク接続部、４５…表示部、４６…操作部、４７…印刷部、２１１…基本プログラム、２１２…認証印刷処理プログラム、２１３…データ、２３１…無線情報、２８１…端末ＩＤ、３１１…基本プログラム、３１２…認証印刷処理プログラム、３１３…データ、３２２…認証印刷データベース、３２３…認証印刷データ、３２４…データＩＤ、３３１…ＮＷ情報、４１１…基本プログラム、４１２…認証印刷処理プログラム、４１３…内部パラメータ、４１４…近接無線接続制限距離、４１５…データ、４３１…無線情報、４３１…ＮＷ情報、Ｎ…ネットワーク、Ｘ…認証印刷物。
【図１】
2018005486.tif 000003
【図２】
2018005486.tif 000004
【図３】
2018005486.tif 000005
【図４】
2018005486.tif 000006
【図５】
2018005486.tif 000007
【図６】
2018005486.tif 000008
【図７】
2018005486.tif 000009
【図８】
2018005486.tif 000010
【図９】
2018005486.tif 000011
【図１０】
2018005486.tif 000012
【図１１】
2018005486.tif 000013
【図１２】
2018005486.tif 000014
【図１３】
2018005486.tif 000015
【図１４】
2018005486.tif 000016
【図１５】
2018005486.tif 000017
【図１６】
2018005486.tif 000018
【図１７】
2018005486.tif 000019
【図１８】
2018005486.tif 000020
【図１９】
2018005486.tif 000021
【図２０】
2018005486.tif 000022
【図２１】
2018005486.tif 000023